(57)【特許請求の範囲】
【請求項１】
被連結部材と掘削ロッドの接続構造において、被連結部材と掘削ロッドとをカップリングを介して接続し、掘削ロッドはカップリングにねじ結合して接続され、このねじ結合部分に緩み止め手段が設けられ、
この緩み止め手段は、掘削ロッドとカップリングの接続された境界近傍の外周面を非円形とし、この部分に前記非円形に対応する非円形の内周面を有するリングを、掘削ロッドとカップリングに跨がって嵌合することを特徴とする掘削ロッドの接続構造。
【請求項２】
被連結部材と掘削ロッドの接続構造において、被連結部材と掘削ロッドとをカップリングを介して接続し、掘削ロッドはカップリングにねじ結合して接続され、このねじ結合部分に緩み止め手段が設けられ、
この緩み止め手段は、前記掘削ロッドの端部外周面を非円形とし、前記カップリングに進退方向にばねにて付勢される進退可能で回転不可のケースを外挿し、このケースの端部内周面を、前記掘削ロッドの非円形に対応する非円形とし、この部分が前記掘削ロッドの非円形部分に進退して嵌合することを特徴とする掘削ロッドの接続構造。
【請求項３】
被連結部材と掘削ロッドの接続構造において、被連結部材と掘削ロッドとをカップリングを介して接続し、掘削ロッドはカップリングにねじ結合して接続され、このねじ結合部分に緩み止め手段が設けられ、
この緩み止め手段は、前記掘削ロッドの端部外周面に凸起または凹溝を設け、前記カップリングに進退方向にばねにて付勢される進退可能で回転不可のケースを外挿し、このケースの端部内周面に前記凸起または凹溝に対応する凹溝または凸起を設け、ケースの進退で一方の凸起が他方の凹溝に嵌合することを特徴とする掘削ロッドの接続構造。
【請求項４】
前記ケースには、進退位置で固定するストッパが設けられていることを特徴とする請求項２または３記載の掘削ロッドの接続構造。
【発明の詳細な説明】
【０００１】
【発明の属する技術分野】
この発明は、削孔機や地盤改良機等の掘削装置における掘削ロッドを被連結部材に連結する接続構造に関し、特に、ねじ結合する掘削ロッドの緩みが生じない接続構造に関する。
【０００２】
【従来の技術】
図５は従来の掘削装置の一例を示す側面図で、ベースマシン（戴置式でも走行式でもよい）２２にリーダ２３が傾倒自在に立設され、このリーダ２３には油圧シリンダ２７が連結され削孔する角度に応じリーダ２３の角度調整が自在となっている。このリーダ２３には、スライドテーブル２４がリーダ２３に沿って摺動自在に設けられ、このスライドテーブル２４に貫通型ドリルヘッド（以下ドリルヘッドと略称する）２５が固着される。また、スライドテーブル２４には油圧シリンダ等の給進装置２６が連結され、スライドテーブル２４はこの給進装置２６で進退される。
【０００３】
ドリルヘッド２５には、回転装置および打撃装置また振動装置が設けられており、掘削ロッド１は、このドリルヘッド２５に取り付けられ、回転、給進、打撃（または振動）が与えられる。また、掘削ロッド１の頂部にはスイベル２が設けられ、掘削流体や地盤改良の薬液が供給される。
【０００４】
このスイベル２と掘削ロッド１との接続は、ねじ結合で行なわれている。図４は従来のスイベル２と掘削ロッド１との接続構造を示す断面図であり、掘削ロッド１は、外管１ａと内管１ｂとの二重管で構成され、外管１ａは、カップリング３を介してスイベル２に連結され、外管１ａとカップリング３との接続はねじ結合４である。
【０００５】
因に、スイベル２は、開口５、６より通路７、８を経て、通路となる内管１ｂ内および外管１ａと内管１ｂとの間を通して掘削流体や地盤改良の薬液を供給するものである。循環型の掘削装置の場合は一方の開口５または６が掘削流体の入口となり、他方の開口６または５が出口となる。
【０００６】
【発明が解決しようとする課題】
このような掘削装置における掘削ロッド１とスイベル２とのねじ結合４では、掘削ロッド１にドリルヘッド２５より回転及び打撃や振動が伝達され、かつ掘削ロッド１の頂部にスイベル２が設けられているため、ドリルヘッド２５の打撃や振動で掘削ロッド１（外管１ａ）とスイベル２とのねじ結合４が緩んでしまう、という不都合があった。このような不都合は、掘削ロッド１とスイベル２との間だけでなく、掘削ロッド同士の接続および掘削ロッドとトップドライブ型ドリルヘッドとの接続の場合も生じていた。
【０００７】
この発明は、このような従来の課題を解決するために提案されたもので、掘削装置において、被連結部材（スイベル、ドリルヘッド、掘削ロッド）にねじ結合した掘削ロッドの緩みが生じない接続構造を提供することを目的とする。
【０００８】
【課題を解決するための手段】
前記課題を解決するため、この発明の請求項１記載の掘削ロッドの接続構造は、被連結部材と掘削ロッドの接続構造において、被連結部材と掘削ロッドとをカップリングを介して接続し、掘削ロッドはカップリングにねじ結合して接続され、このねじ結合部分に緩み止め手段が設けられ、
この緩み止め手段は、掘削ロッドとカップリングの接続された境界近傍の外周面を非円形とし、この部分に前記非円形に対応する非円形の内周面を有するリングを、掘削ロッドとカップリングに跨がって嵌合することを特徴とする。
【０００９】
また、この発明の請求項２記載の掘削ロッドの接続構造は、被連結部材と掘削ロッドの接続構造において、被連結部材と掘削ロッドとをカップリングを介して接続し、掘削ロッドはカップリングにねじ結合して接続され、このねじ結合部分に緩み止め手段が設けられ、
この緩み止め手段は、前記掘削ロッドの端部外周面を非円形とし、前記カップリングに進退方向にばねにて付勢される進退可能で回転不可のケースを外挿し、このケースの端部内周面を、前記掘削ロッドの非円形に対応する非円形とし、この部分が前記掘削ロッドの非円形部分に進退して嵌合することを特徴とする。
【００１０】
また、この発明の請求項３記載の掘削ロッドの接続構造は、被連結部材と掘削ロッドの接続構造において、被連結部材と掘削ロッドとをカップリングを介して接続し、掘削ロッドはカップリングにねじ結合して接続され、このねじ結合部分に緩み止め手段が設けられ、
この緩み止め手段は、前記掘削ロッドの端部外周面に凸起または凹溝を設け、前記カップリングに進退方向にばねにて付勢される進退可能で回転不可のケースを外挿し、このケースの端部内周面に前記凸起または凹溝に対応する凹溝または凸起を設け、ケースの進退で一方の凸起が他方の凹溝に嵌合することを特徴とする。
【００１１】
さらに、この発明の請求項４記載の掘削ロッドの接続構造は、前記ケースには、進退位置で固定するストッパが設けられていることを特徴とする。
【００１２】
【発明の実施の形態】
以下、この発明の実施の形態について図面と共に詳細に説明する。図１はこの発明の実施の形態を示す断面図、図２はこの発明の実施の形態を示す要部拡大断面図、図３はケースの部分斜視図である。なお、図４および図５に示す従来例と同一構成要素には、同一符号を付して説明する。
【００１３】
本例は掘削ロッド１の被連結部材がスイベル２の場合である。スイベル２は、開口５および６を有し、通路７および８を介して掘削流体や地盤改良の薬液（以下、単に流体という）が供給される。スイベル２には掘削ロッド１が連結される。掘削ロッド１は外管１ａと内管１ｂの二重管で構成され、内管１ｂ内および外管１ａと内管１ｂの間が流体の通路となる。前記スイベル２の開口５は通路７を介し内管１ｂ内に、開口６は通路８を介して外管１ａと内管１ｂとの間に連通され、流体が供給される。
【００１４】
前記掘削ロッド１の外管１ａは、カップリング３を介してスイベル２に連結され、外管１ａとカップリング３はねじ結合４で接続されている。このねじ結合４の部分には緩み止め手段２０が設けられる。
次に緩み止め手段２０の一例を説明する。前記カップリング３にはケース９が進退自在に外挿されている。このケース９とカップリング３との間には、ケース９を付勢するばね１３が設けられ、このばね１３に抗してケース９を押圧するようになっている。また、ケース９の上端内周面には、図３に示すような逆Ｔ字状のガイド溝１２が設けられ、前記カップリング３にはガイドピン１４が突設され、このピン１４がガイド溝１２に嵌入している。従って、ケース９は、ガイド溝１２およびガイドピン１４にガイドされて進退すると共に、円周方向（横方向）のガイド溝１２にガイドピン１４が位置することによって、ケース９の進退方向の位置が規制される。
【００１５】
また、掘削ロッド１を構成する外管１ａの端部の外周面は非円形１１に形成され、前記ケース９の下端内周面も前記非円形１１に対応する非円形１０に形成され、このケース９の非円形１０の部分が前記外管１ａの非円形１１の部分に進退して嵌合するようになっている。すなわち、ケース９をばね１３に抗して進出させると、ケース９の非円形１０の部分は、外管１ａの非円形１１の部分に嵌合する。嵌合したらケース９を少し回転させるとガイドピン１４がガイド溝１２の円周方向（横方向）のガイド溝１２の部分に位置するから、ケース９はその位置で進退位置が固定されるので、ケース９の下端と外管１ａの端部は非円形１０、１１結合して固定される。
【００１６】
しかして、掘削ロッド１（外管１ａ）に打撃や振動が与えられても、ケース９の下端と外管１ａの端部が非円形結合しているので、カップリング３と掘削ロッド１との間において、外管１ａがねじの緩み方向に回転しようとしても回転できず、外管１ａのねじ結合４の緩みが防止される。掘削ロッド１を取り外すときは、ケース９を回転させガイドピン１４をガイド溝１２の縦方向の部分に位置させるとばね１３の付勢力でケース９は上方に後退し、ケース９と外管１ａの非円形結合は解除されるので、外管１ａを回転させねじ結合４を解除することができる。
【００１７】
前記緩み止め手段２０は、ケース９の下端と外管１ａの端部が非円形１０、１１の結合の場合であるが、これは凸部と凹溝であってもよい。すなわち、外管１ａの端部外周面に凸起または凹溝を設け、ケース９の下端内周面に前記凸起または凹溝に対応する凹溝または凸機を設け、ケース９の進退で一方の凸起が他方の凹溝に嵌合するようにしてもよい。
【００１８】
また、前記緩み止め手段は、掘削ロッド１（外管１ａ）とカップリング３の接続された境界近傍の外周面を非円形とし、この部分に前記非円形に対応する非円形の内周面を有するリングを、掘削ロッド１とカップリング３に跨がって嵌合してもよい。
【００１９】
なお、前記実施の形態は、スイベル２と掘削ロッド１の場合であるが、前記緩み止め手段２０は、掘削ロッド１とドリルヘッドおよび掘削ロッド同士のねじ結合の場合でも採用し得る。
【００２０】
【発明の効果】
以上詳細に説明した通り、この発明は、被連結部材と掘削ロッドとをカップリングを介して接続し、掘削ロッドはカップリングにねじ結合して接続され、このねじ結合部分に緩み止め手段を設けたので、掘削位置が回転だけでなく、打撃や振動を与えて掘削するタイプであっても、掘削ロッドのねじ結合部分の緩みが生じない。特に、貫通型ドリルヘッドを具備し、掘削ロッドの頂部にスイベルを設ける掘削装置においては、スイベルと掘削ロッドとのねじ結合が緩み易かったが、この発明によれば緩みが完全に防止され、その効果は絶大である。
【図面の簡単な説明】
【図１】この発明の実施の形態を示す断面図である。
【図２】この発明の実施の形態を示す要部拡大断面図である。
【図３】ケースの部分斜視図である。
【図４】従来例を示す断面図である。
【図５】掘削装置の一例を示す側面図である。
【符号の説明】
１    掘削ロッド
１ａ  外管
１ｂ  内管
２    スイベル
３    カップリング
４    ねじ結合
９    ケース
１０  ケース内周面の非円形部分
１１  掘削ロッドの非円形部分
１２  ガイド溝
１３  ばね
１４  ガイドピン
【図１】
0003543722.tif 000002
【図２】
0003543722.tif 000003
【図３】
0003543722.tif 000004
【図４】
0003543722.tif 000005
【図５】
0003543722.tif 000006